(57)【要約】      （修正有）【課題】テークバックから、ダウンスイング、インパクトゾーン、そしてフォローゾーンへの振りによる円軌道を目標に向かわせる練習を正確に行えるように補助するゴルフクラブ練習補助具を提供する。【解決手段】ゴルフクラブ練習補助具１は、ゴルフシャフトの一部であって握り部の近辺シャフト部分をシャフト方向に収納する長手溝３を備えた取り付け板部２と、長手溝の反対側の取り付け板底部に固定され、長手溝の方向に対して鋭角をなし、取り付け板部が固定部材１７、１８によりゴルフクラブに取り付けられた時に、ゴルフクラブ先端方向に末広がりに広がる形状とされた三角形状板５と、三角形状板５の先端部に固着される音発生部３０とからなり、音発生部は、中空筐体部３１と、中空筐体部内部に収容される鈴３２と、中空筐体部と三角形状板の先端部とを固着する固着部３３とからなる。【選択図】図１
0003213465.tif 000002
【実用新案登録請求の範囲】
【請求項１】
ゴルフクラブ下方垂直方向に延在して配置可能とされ、ゴルフシャフトの一部であって握り部の近辺シャフト部分をシャフト方向に収納する長手溝を備えた取り付け板部と、該長手溝の反対側の取り付け板底部に固定され、長手溝の方向に対して鋭角をなし、取り付け板部がゴルフクラブに取り付けられた時に、ゴルフクラブ先端方向に末広がりに広がる形状とされた三角形状板と、ゴルフシャフトを長手溝に収納した時に、取付け板部に設けられた、ゴルフシャフトに取り付け部を固定する固定部材と、三角形状板の先端部に固着される音発生部とからなり、該音発生部は、内部に空間Ｓを有する中空筐体からなる中空筐体部と、該中空筐体の内部に収容される鈴と、中空筐体部と三角形状板の先端部とを固着する固着部と、からなることを特徴とするゴルフクラブ練習補助具
【考案の詳細な説明】
【技術分野】
【０００１】
本考案は、ゴルフクラブ練習補助具に関する。
【背景技術】
【０００２】
ゴルフ練習に当たってはゴルフクラブを何度もスイングすることがなされる。この時に、ゴルフクラブをダウンスイングからインパクトゾーン、そしてフォローゾーンへと振っていくことになる。このダウンスイングからインパクトゾーン、そしてフォローゾーンへの振りを目標に向かって正確に行えるようになることが大切であるといわれている。
【０００３】
特許文献１には、リストコックのタイミング及びリリースのタイミングを練習できるゴルフスイング練習用具が記載されている。
【先行技術文献】
【特許文献】
【０００４】
【特許文献１】特開２００７−２９６２６１号公報
【考案の概要】
【考案が解決しようとする課題】
【０００５】
特許文献１に記載されたゴルフスイング練習用具は、タイミングを練習するものであり、スイングの円軌道を練習するものではない。
【０００６】
本考案は、テークバックから、ダウンスイング、インパクトゾーン、そしてフォローゾーンへの振りによる円軌道を目標に向かわせる練習を正確に行えるようにするゴルフクラブ練習補助具を提供することを目的とする。
【課題を解決するための手段】
【０００７】
本考案は、上述した課題を解決するために、ゴルフクラブ下方垂直方向に延在して配置可能とされ、ゴルフシャフトの一部であって握り部の近辺シャフト部分をシャフト方向に収納する長手溝を備えた取り付け板部と、該長手溝の反対側の取り付け板底部に固定され、長手溝の方向に対して鋭角をなし、取り付け板部がゴルフクラブに取り付けられた時に、ゴルフクラブ先端方向に末広がりに広がる形状とされた三角形状板と、ゴルフシャフトを長手溝に収納した時に、取付け板部に設けられた、ゴルフシャフトに取り付け部を固定する固定部材と、三角形状板の先端部に固着される音発生部とからなり、該音発生部は、内部に空間を有する中空筐体からなる中空筐体部と、該中空筐体の内部に収容される鈴と、中空筐体部と三角形状板の先端部とを固着する固着部と、からなることを特徴とするゴルフクラブ練習補助具を提供する。
【考案の効果】
【０００８】
本考案は、上述したように構成されているので、この構成になるゴルフクラブ練習補助具を使用したゴルフ練習で、テークバックから、ダウンスイング、インパクトゾーン、そしてフォローゾーンへの振りによる円軌道を目標に向かわせる練習を正確に行えるようになる。
【図面の簡単な説明】
【０００９】
【図１】（ａ）は本考案実施例の構造を示す平面図であり、（ｂ）は図１（ａ）の音発生部の拡大図。
【図２】本考案実施例の構造を示す側面図。
【図３】こぼれ日によって形成されたこぼれ日面積を示す図。
【図４】スイング時のゴルフクラブ練習補助具の動作を示す図。（ａ）〜（ｃ）は、核スイングの状態を示している。
【図５】本考案の別の実施例の構造を示す斜視図。
【考案を実施するための形態】
【００１０】
以下、本考案の実施例を図面に基づいて説明する。
【実施例】
【００１１】
図１（ａ）は、本考案の実施例であるゴルフクラブ練習補助具１の構造を示す平面図であり、図１（ｂ）は図１（ａ）の音発生部の拡大図であり、図２は本考案の実施例であるゴルフクラブ練習補助具１の側面図である。ここで、図１及び図２は一部断面図を示しており、Ｌは切断線を示している。
【００１２】
これらの図において、ゴルフクラブ練習補助具１は、ゴルフクラブ１１（図２）の下方垂直方向に延在して配置可能とされ、ゴルフシャフト１２の一部であってグリップ部（握り部）１３の近辺シャフト部分１４をシャフト方向に収納する、一定深さの長手溝３を備えた取り付け板部２と、該長手溝１３の反対側の取り付け板底部４に固定され、長手溝３の方向に対して鋭角をなし、取り付け板部２がゴルフクラブ１１に取り付けられた時に、ゴルフクラブ先端方向に末広がりに広がる形状とされた三角形状板（ラケット板という）５と、ゴルフシャフト１２を長手溝３に収納した時に、取り付け板部２に設けられた、ゴルフシャフト１２に取り付け部２を固定する取り付けバンド１７，１８等の固定部材とから構成される。
【００１３】
また、本考案の実施例であるゴルフクラブ練習補助具１は、三角形状板５の先端部２２に固着される音発生部３０を備える。この音発生部３０は、内部に空間Ｓを有する中空筐体からなる中空筐体部３１と、この中空筐体部３１の内部に収容される鈴３２と、中空筐体部３１と三角形状板５の先端部２２とを固着する固着部３３と、からなることを特徴とするゴルフクラブ練習補助具を提供する。以下、本実施例のゴルフクラブ練習補助具１について詳しく説明する。
【００１４】
ゴルフクラブ練習補助具１を構成する上述した各構成要素は、樹脂（プラスチック）あるいは木材あるいはその他の材料で構成され得る。複数の材料を組み合せて作られてよい。
【００１５】
図２において、取り付け板部２は、側方から見ると、台形をなし、ゴルフクラブ１１の下方垂直方向に延在する双方の端面は平行をなし、取り付け板底部４は、長手溝３の方向に対して鋭角をなす。この角度は、例えば２４度近辺の鋭角をなす。長手溝３は、取り付け板部２の上面の全面に亘って端から端まで設けられている。この構成によって、長手溝３は、ゴルフシャフト１２の一部であってグリップ部１３の近辺シャフト部分１４をシャフト方向に収納することができる。
【００１６】
三角形状板５は、ゴルフクラブ先端方向に末広がりに広がる形状とされ、先端部が三葉に分岐した形態となっている。この三葉部２１は、取り付け板部２の前方まで延在する。
【００１７】
この三葉にしたことは意匠が向上するようにしたものであり、この形状に限定されない。多葉であってもよいし二葉であってもよい。機能的には全体的に三角形状であるということになる。
【００１８】
三角形状板５が取り付け板底部４に固定用の樹脂によって固定されると、ゴルフクラブ練習補助具１は、紙飛行機を逆立ちさせた形状となり、水平状態を観察しやすい。三角形状板５の先端方向は、長手溝３の方向に対して２４度近辺の鋭角をなす。２４度近辺とは厳密に２４度である必要なく、２４±５度程度をいう。これは、この角度が性別、体格等によって適切な角度があるということであり、大人の男性の場合に２４度が適切であるということである。勿論、大人の男性であっても２４度からずれて設定されても構わない。
【００１９】
取り付け板部２には、左右の両端部には切欠く部１５，１６が設けてあり、この部分に取り付けバンド１７，１８が適宜方法で取り付けてある。取り付けバンド１７，１８は、突出部１９，２０を一周して、長手溝３に収納されたゴルフシャフト１２にゴルフクラブ練習補助具１を固定することが出来る。
【００２０】
音発生部３０の中空筐体部３１としては、カメラのフィルムケースのごとき中空円筒状のプラスチックケースが用いられる。また、固着部３３は、一般的な構造のビニールテープが用いられる。また、鈴３２は、一般的に用いられる鈴が適用される。これら中空筐体部３１、鈴３２および固着部３３は、本実施例の効果を奏することができれば別の構造のものを用いてもよい。
【００２１】
このようにして、後述する各スイング時において、鈴３２が重力によって中空筐体部３１内を移動して中空筐体部３１の内面３４に打衝することとなる。これにより鈴３２が鳴り、音Ｓが発生する。この中空筐体部３１と鈴３２は、各スイング時における重力により音発生体が移動して中空筐体部３１の内面３４に打衝して音が鳴るものであれば、構造は問わない。
【００２２】
図２に示すように、取り付け板部２は、ゴルフシャフト１２を長手溝に収納して、取り付け板部２に設けられた、ゴルフシャフト１２に取り付け部２を固定する取り付けバンド１７，１８等の固定部材によってゴルフクラブ１１に取り付けられる。この固定状態では、ゴルフクラブ１１に対する三角形状板５の取り付け角度は２４度付近、一例としては２４度をなす。ゴルフクラブを最下位セットした時に、ゴルフクラブ練習補助具１は、ゴルフシャフト１２の下方垂直方向になる。最上位にセットした時に逆の配置となる。
【００２３】
ゴルフ練習者は、ゴルフ練習する時、日の当たる場所で、晴れた正午ごろ太陽を背部にしてゴルフクラブ１１をセットし、構える。この状態では、太陽光の方向は、真後ろに来る。また、ゴルフ練習者は、自身の身長の高さと真後ろに形成されるゴルフ練習者の影の高さとが同じ高さなるようにセットし、構える。
【００２４】
この状態でゴルフクラブ１１のスイングを行うゴルフクラブ１１のスイング角度でゴルフクラブ練習補助具１の三角形状板５の地面に対する角度が変わる。ゴルフクラブ１１のスイングに伴うゴルフクラブ練習補助具１の三角形状板５の地面に対する角度と太陽によって形成される両手の間を通り抜けた太陽光によって形成される日の当った面との関係を観察する。この太陽の当った面の大きさは太陽が時間によって木の葉の問をこぼれて日が当たった面積を変えて行くことに似ており、こぼれ日面積の観察のようになる。
【００２５】
図３に示す三角形状３５が、ゴルフ練習者の影の部分に、スイングに伴って形成されるこぼれ日面積の形成状況を示す。このこぼれ日面積は、スイング角度によって変化する。このこぼれ日面積を観察してのスイングをここではシャドウゴルフスイングという。
【００２６】
今、理想的なゴルフスイングを想定する。トップスイングよりダウンスイングに入るポジションでこぼれ日面積が一番大きくなる。スイングに伴ってこぼれ日面積は小さくなっていく。シャフトが上方２４度傾いている時に、三角形状板５は水平になる。この時の地面に形成されたこぼれ日面積を観察する。こぼれ日面積は、図３に示すように小さな三角形状の面積となる。インパクトゾーンに入ると、こぼれ日面積は消滅する。インパクトゾーンでボールが通常の練習と同じにヒットされる。インパクトゾーンが終わり、フォロースイングなるとこぼれ日面積は再び現れ、大きくなって行き、ゴルフシャフト２４度で三角形状板５は水平になり、こぼれ日面積は、前述のこぼれ日面積と同じになる。そして再びこぼれ日面積は大きくなる。この状態がフィニッシュ状態で消滅する。このようにして三角形状板５は水平状態での対称こぼれ日三角面積を観察しながらゴルフスイングを行う。ゴルフクラブ１１のスイングに伴うゴルフクラブ練習補助具１の三角形状板５の地面に対する角度と太陽によって形成される両手の間を通り抜けた太陽光によって形成される日の当った面との関係を観察することが出来る。このようにしてゴルフクラブスイングをイメージしながら実行すると、練習者に最適なスイングを行うことが出来るようになる。
【００２７】
また、本実施例においては、最適なゴルフスイングのポジションを音発生部３０から発生する音Ｓによって決めることができる。これについて、以下図４を用いて説明する。
【００２８】
図４（ａ）は、動作開始時すなわちゴルフクラブ１１が鉛直方向の位置に来ている状態を示しており、隣接する図は、その状態における音発生部３０の状態を示している。この状態においては、静止状態であり、鈴３２は音発生部の側面３４に接触している。
【００２９】
図４（ｂ）は、テークバック動作の状態を示しており、隣接する図は、その状態における音発生部３０の状態を示している。この状態においては、音発生部３０内の鈴３２は、スイング動作による遠心力と重力との関係により中空筐体部内面３４中に位置する。この状態においては、まだ音Ｓは発生しない。
【００３０】
図４（ｃ）は、テークバック動作が最大の位置に来ている状態を示しており、隣接する図は、その状態における音発生部３０の状態を示している。この状態においては、音発生部３０内の鈴３２は、ゴルフクラブ１１が静止状態に近い状態となっているのでスイング動作による遠心力は及ばず、重力の影響を受ける状態にある。この時、鈴３２は、この重力により移動することとなりその結果中空筐体部内面３４に打衝してこれにより鈴３２が鳴り音Ｓが発生する。つまり、テークバック動作が最大の位置に来ている状態の時に、音Ｓが発生することとなる。
【００３１】
このようにして、音発生部３０の鈴３２は、テークバック動作が最大の位置に来ている時に、音Ｓが発生されるため、ゴルフ練習者は、スイングの練習時にこれら音Ｓを確認しながらスイングの練習が行えるので、練習者にとって最適なスイングを行うことが出来るようになる。
【００３２】
以上のように、本実施例のゴルフクラブ練習補助具は、この構成になるゴルフクラブ練習補助具を使用したゴルフ練習で、テークバックから、ダウンスイング、インパクトゾーン、そしてフォローゾーンへの振りによる円軌道を目標に向かわせる練習を正確に行えるようになる。
【００３３】
図５は、本考案の別の実施例の構造を示す斜視図である。この例では、ゴルフクラブ練習補助具１において、音発生部４０は次の構造となる。音発生部４０の固着部４３は、三角形状板５の先端部２２に固定される固定部４１と、中空筐体部３１に固定され、固定部４１に長手溝の方向に対して回動可能に取付けられる回動部４２とからなる。
【００３４】
また、音発生部４０の固定部４１は、三角形状板５の三葉部２１の中央の葉部の先端部２２に取付けられる。この固定部４１は、先端部２２を覆うように環状に形成され、先端部２２を覆った後に六角ねじ等のねじ締結手段４６により締め付けることで固定部４１を先端部２２に締付け固定する。また、固定部４１には、円盤状の回動部４２が一般的な首ふり機構のごとく、回転可能に取り付けられる。この回動部４２に、中空筐体部３１が固定取付けされる。これにより、鈴３２は、固定部４１に取りついた状態で、長手溝３に対して回転が可能となる。この固定部４１と回動部４２の構造は、回動部４２が長手溝３に対して回動可能に固定部４１に取付けられるものであれば、別の構造であってもよい。
【００３５】
この実施例によっても、上述の実施例で説明したゴルフクラブ練習補助具１と同様の効果を奏することができる。
【符号の説明】
【００３６】
Ｓ…音、１…ゴルフクラブ練習補助具、２…取り付け板部、３…長手溝、４…取り付け板底部、５…三角形状板、１１…ゴルフクラブ、１２…ゴルフシャフト、１３…グリップ部、１４…グリップ部１３の近辺シャフト部分、１７，１８…取り付けバンド(固定部材)、３０、４０…音発生部、３１…中空筐体部、３２…鈴、３３、４３…固着部、３４…中空筐体部内面、４１…固定部、４２…回動部。
【図１】
0003213465.tif 000003
【図２】
0003213465.tif 000004
【図３】
0003213465.tif 000005
【図４】
0003213465.tif 000006
【図５】
0003213465.tif 000007